(57)【要約】      （修正有）【課題】果物や野菜のような大量生産品のための管状又はバッグ状の梱包容器を閉塞するための閉塞クリップを提供する。【解決手段】閉塞クリップは、所定の平面内において延在していると共に互いに対して少なくとも略平行に位置合わせされている第１のアーム２０及び第２のアーム３０であって、第１の端部２２，３２及び第２の端部２４，３４を有している第１のアーム２０及び第２のアーム３０と、第１のアーム２０及び第２のアーム３０によって定義されている中心面内において延在していると共に、内面４６及び外面４８を有しているベース部分４０であって、第１の端部２２，３２において第１のアーム２０と第２のアーム３０とを接続していると共に、略Ｕ字状の閉塞クリップ１０を形成しているベース部分４０と、を備えている。【選択図】図１
2013079108.tif 000002
【特許請求の範囲】
【請求項１】
例えば果物や野菜のような大量生産品のための管状又はバッグ状の梱包容器を閉塞するための閉塞クリップであって、
所定の平面内において延在していると共に互いに対して少なくとも略平行に位置合わせされている第１のアーム（２０）及び第２のアーム（３０）であって、第１の端部（２２，３２）及び第２の端部（２４，３４）を有している前記第１のアーム（２０）及び前記第２のアーム（３０）と、
前記第１のアーム（２０）及び前記第２のアーム（３０）によって定義されている中心面（Ｅ）内において延在していると共に、内面（４６）及び外面（４８）を有しているベース部分（４０）であって、前記第１の端部（２２，３２）において前記第１のアーム（２０）と前記第２のアーム（３０）とを接続していると共に、略Ｕ字状の前記閉塞クリップ（１０）を形成している前記ベース部分（４０）と、
を備えている前記閉塞クリップにおいて、
第１のスパイク（５０）が、第１の端部（５２）及び第２の端部（５４）を有しており、前記第１のアーム（２０）と前記第２のアーム（３０）との間において前記第１のアーム（２０）及び前記第２のアーム（３０）に対して平行に、前記ベース部分（４０）の前記内面（４６）から延在しており、前記第１の端部（５２）において前記ベース部分（４０）に接続されており、前記第１のスパイク（５０）の長さが、前記第１のアーム（２０）及び前記第２のアーム（３０）のうち少なくとも１つのアームの断面の一の寸法に少なくとも等しく、
前記閉塞クリップ（１０）が、第１の端部（６２）及び第２の端部（６４）を有している少なくとも１つの第２のスパイク（６０）を備えており、前記第２のスパイク（６０）が、前記第１のアーム（２０）及び前記第２のアーム（３０）のうち一方のアームと前記第１のスパイク（５０）との間において前記一方のアーム及び前記前記第１のスパイク（５０）に対して平行に、前記ベース部分（４０）の前記内面（４６）から延在しており、前記第１の端部（６２）において前記ベース部分（４０）に接続されており、前記第２のスパイク（６０）の長さが、前記第１のスパイク（５０）の長さより短いことを特徴とする閉塞クリップ。
【請求項２】
前記閉塞クリップ（１０）が、第１の端部（７２）及び第２の端部（７４）を有している第３のスパイク（７０）を備えており、前記第３のスパイク（７０）が、前記第１のアーム（２０）及び前記第２のアーム（３０）のうち他方のアームと前記第１のスパイク（５０）との間において前記他方のスパイク及び前記第１のスパイク（５０）に対して平行に、前記ベース部分（４０）の前記内面（４６）から延在しており、前記第１の端部（６２，７２）において前記ベース部分（４０）に接続されており、前記第３のスパイク（７０）の長さが、前記第１のスパイク（５０）の長さより短いことを特徴とする請求項１に記載の閉塞クリップ。
【請求項３】
前記第１のスパイク（５０）の長さが、前記第１のアーム（２０）及び前記第２のアーム（３０）のうち少なくとも１つのアームの断面の一の寸法の倍数となる長さとされることを特徴とする請求項１又は２に記載の閉塞クリップ。
【請求項４】
前記閉塞クリップ（１０）が、前記閉塞クリップ（１０）が管状又はバッグ状の前記包装容器を閉じるために前記包装容器を囲んで折り曲げられていると共に前記第１のアーム（２０）及び前記第２のアーム（３０）が互いに対して少なくとも部分的に略平行に配置されている、閉構造の状態になっている場合に、前記第１のスパイク（５０）が、前記第１のスパイク（５０）の前記第２の端部（５４）が前記第１のアーム（２０）と前記第２のアーム（３０）との間に形成された間隙内に延在している、長さを有しており、
前記第１のアーム（２０）の前記第２の端部（２４）が、前記第２のアーム（３０）の前記第１の端部（３２）に向かって面しており、前記第２のアーム（３０）の前記第２の端部（３４）が、前記第１のアーム（２０）の前記第１の端部（２２）に向かって面していることを特徴とする請求項１〜３のいずれか一項に記載の閉塞クリップ。
【請求項５】
前記第１のスパイク（５０）の断面が、前記第１のスパイク（５０）の前記第２の端部（５４）に向かって縮小していることを特徴とする請求項１〜４のいずれか一項に記載の閉塞クリップ。
【請求項６】
前記第２のスパイク（６０）及び前記第３のスパイク（７０）が、前記第１のアーム（２０）及び前記第２のアーム（３０）によって定義されている前記中心面（Ｅ）から所定距離で離隔して、且つ、前記中心面（Ｅ）に対して平行に配置されていることを特徴とする請求項１〜５のいずれか一項に記載の閉塞クリップ。
【請求項７】
前記第２のスパイク（６０）及び前記第３のスパイク（７０）が、前記第１のアーム（２０）及び前記第２のアーム（３０）によって定義されている前記中心面（Ｅ）の異なる側に配置されていることを特徴とする請求項６に記載の閉塞クリップ。
【請求項８】
前記第２のスパイク（６０）及び／又は前記第３のスパイク（７０）が、前記第１のアーム（２０）及び前記第２のアーム（３０）によって定義されている前記中心面（Ｅ）の同一の側に配置されていることを特徴とする請求項７に記載の閉塞クリップ。
【請求項９】
前記第２のスパイク（６０）及び／又は前記第３のスパイク（７０）の断面が、前記第２のスパイク（６０）及び／又は前記第３のスパイク（７０）の前記第２の端部（６４，７４）に向かって縮小していることを特徴とする請求項１〜８のいずれか一項に記載の閉塞クリップ。
【請求項１０】
前記第１のスパイク（５０）並びに／又は前記第２のスパイク（６０）及び前記第３のスパイク（７０）が、前記第１のスパイク（５０）並びに／又は前記第２のスパイク（６０）及び前記第３のスパイク（７０）の前記第２の端部（５２，６２，７２）において先鋭な状態で終端していることを特徴とする請求項１〜９のいずれか一項に記載の閉塞クリップ。
【請求項１１】
カム（８０）が、前記ベース部分（４０）の前記外面（４８）に配置されていることを特徴とする請求項１〜１０のいずれか一項に記載の閉塞クリップ。
【発明の詳細な説明】
【技術分野】
【０００１】
本発明は、独立請求項１のおいて書きに従った閉塞クリップに関する。より具体的には、本発明は、例えば果物や野菜のような大量生産品のための管状又はバッグ状の梱包容器を閉塞するための閉塞クリップであって、所定の平面内において延在していると共に互いに対して少なくとも略平行に位置合わせされている第１のアーム及び第２のアームであって、第１の端部及び第２の端部を有している第１のアーム及び第２のアームと、第１のアーム及び第２のアームによって定義されている中心面内において延在していると共に、内面及び外面を有しているベース部分であって、第１の端部において第１のアームと第２のアームとを接続していると共に、略Ｕ字状の閉塞クリップを形成しているベース部分と、を備えている閉塞クリップに関する。
【背景技術】
【０００２】
例えば果物や野菜のような梱包すべき大量生産品は、通常、格納又は輸送するための管状の又はバッグ状の梱包容器内に梱包されている。このような管状の又はバッグ状の梱包容器は、例えば網状の材料から成り、例えば閉塞クリップによってその一端において閉じられる場合がある。
【０００３】
閉じるべき管状の又はバッグ状の梱包容器に閉塞クリップを取り付けるためのクリッピング装置は、上述の商品を管状又はバッグ状の梱包容器内に梱包するために利用される。
【０００４】
また、このような梱包容器を閉じるための、且つ、閉塞クリップ及び例えばループのような緩衝要素を適用させるための既知のクリッピング装置は、充填されたチューブ又はバッグ状の梱包容器を絞るための、且つ、閉塞クリップが配置され閉じられる網組状部分を提供するためのディスプレーサ要素を含んでいる。網組状部分がディスプレーサ要素によって形成された後に、閉塞クリップが網組状部分に運搬され、少なくとも略Ｕ字状の閉塞クリップが管状又はバッグ状の梱包容器を把持するように、網組状部分で位置決めされる。その後に、閉塞クリップが、例えばパンチやダイのような適切な閉塞ツールによって閉じられる。ダイは、閉塞クリップの底部分を支持しているので、閉塞クリップを所定位置に保持している一方、パンチが閉塞クリップのアームの自由端に向かって移動するので、閉塞クリップが網状部分を中心として折り曲げられる。
【０００５】
特許文献１には、バッグ又はチューブのための閉塞クリップが開示されている。略Ｕ字状の閉塞クリップが、クリップ底部分と、クリップ底部分に結合されているアームとを有している。バッグ又はチューブを閉じるために、パンチによって、閉塞クリップは梱包材料から形成された網組状部分に移動されるので、その結果として、閉塞クリップは網組状部分の周囲を把持している。アームそれぞれの自由端が、スライド溝を有しているダイによって網組状部分を中心として折り曲げられる。閉じた状態では、閉塞クリップのアームは、少なくとも互いに対して略平行に配置されているので、閉塞クリップは、梱包材料から成る網組状部分を中心として閉じたリングを形成する。
【０００６】
例えば果物や野菜のような拘束されていない商品や食物が、例えばプラスチック材料から作られている網状のバッグ内に梱包される場合がある。網状のプラスチック材料から成るこのような管状又はバッグ状の梱包容器が、それ自体が大抵の場合においてプラスチック材料から作られている閉塞クリップによって閉じられている場合には、閉塞クリップは、バッグの形成する材料と閉塞クリップとの間における摩擦力が非常に小さいことに起因して、管状又はバッグ状の梱包材料から成る網組状部分を滑落させる可能性がある。閉塞クリップの内側が所定の形状、例えば梱包材料内に突入されたセレーションの形態を有している場合であっても、梱包された商品が重い場合や付加的な力が閉塞クリップに作用する場合には、例えばバッグを運搬する際に閉塞クリップが梱包材料から成る網組状部分を滑落させる危険性が存在する。また、梱包材料は、閉塞クリップが金属から作られている場合には、プラスチック材料から作られた閉塞クリップより堅固に閉じることができるかもしれないが、損傷する危険性がある。
【先行技術文献】
【特許文献】
【０００７】
【特許文献１】独国特許出願公開第１９７００６９２号明細書
【発明の概要】
【発明が解決しようとする課題】
【０００８】
従って、本発明の目的は、上述の欠点を克服すると共に、管状又はバッグ状の梱包容器を高い信頼性を以って確実に閉じることができる閉塞クリップを提供することである。
【０００９】
上述の目的は、独立請求項１の特徴部分を有している閉塞クリップによって達成される。本発明における閉塞クリップの他の優位な発展形態は、請求項２〜１０に規定されている。
【課題を解決するための手段】
【００１０】
本発明は、例えば果物や野菜のような大量生産品のための管状又はバッグ状の梱包容器を閉塞するための閉塞クリップを提供する。閉塞クリップは、所定の平面内において延在していると共に互いに対して少なくとも略平行に位置合わせされている第１のアーム及び第２のアームであって、第１の端部及び第２の端部を有している第１のアーム及び第２のアームと、第１のアーム及び第２のアームによって定義されている中心面内において延在していると共に、内面及び外面を有しているベース部分であって、第１の端部において第１のアームと第２のアームとを接続していると共に、略Ｕ字状の閉塞クリップを形成しているベース部分と、を備えている。閉塞クリップの一の好ましい実施例では、第１のスパイクが、第１の端部及び第２の端部を有しており、第１のアームと第２のアームとの間において第１のアーム及び第２のアームに対して平行に、ベース部分の内面から延在しており、第１の端部においてベース部分に接続されている。第１のスパイクの長さが、第１のアーム及び第２のアームのうち少なくとも１つのアームの断面の一の寸法に少なくとも等しい。さらに、本発明における閉塞クリップは、第１の端部及び第２の端部を有している少なくとも１つの第２のスパイクを備えており、第２のスパイクが、第１のアーム及び第２のアームのうち一方のアームと第１のスパイクとの間において一方のアーム及び第１のスパイクに対して平行に、ベース部分の内面から延在している。第２のスパイクは、第１の端部においてベース部分に接続されており、第２のスパイクの長さが、第１のスパイクの長さより短い。
【００１１】
本発明では、閉塞クリップが、第１の端部及び第２の端部を有している第３のスパイクを備えており、第３のスパイクが、第１のアーム及び第２のアームのうち他方のアームと第１のスパイクとの間において他方のスパイク及び第１のスパイクに対して平行に、ベース部分の内面から延在しており、第１の端部においてベース部分に接続されており、第３のスパイクの長さが、第１のスパイクの長さより短い。
【００１２】
閉塞クリップが閉じられている場合には、第２のスパイク及び／又は第３のスパイクが梱包材料内に突入されているので、高い信頼性を以って、閉塞クリップが梱包材料から滑落することを防止することができる。第１のスパイクが請求項で規定される長さを有しているので、第１のスパイクは網組状部分内に集められた梱包材料を完全に貫通して延在し、これにより高い信頼性を以って、閉塞クリップが滑落することを防止することができる。第２のスパイク及び第３のスパイクは、さらなる網組材料内に付加的に突入されているので、閉塞クリップの信頼性をさらに高めることができる。
【００１３】
少なくとも第１のスパイクのこのような固定効果をさらに高めるために、第１のスパイクの長さが、第１のアーム及び第２のアームのうち少なくとも１つのアームの断面の一の寸法の倍数となる長さとされる。
【００１４】
本発明では、閉塞クリップが、閉塞クリップが管状又はバッグ状の包装容器を閉じるために包装容器を囲んで折り曲げられていると共に第１のアーム及び第２のアームが互いに対して少なくとも部分的に略平行に配置されている、閉構造の状態になっている場合に、第１のスパイクが、第１のスパイクの第２の端部が第１のアームと第２のアームとの間に形成された間隙内に延在している、長さを有しており、第１のアームの第２の端部が、第２のアームの第１の端部に向かって面しており、第２のアームの第２の端部が、第１のアームの第１の端部に向かって面している。この構成では、第１のスパイクの第２の端部が、閉塞クリップの２つのアームによって支持されている。これにより、第１のスパイクがクリップによって定義される平面に対して垂直な方向において屈曲されることが防止されるので、閉塞クリップが梱包材料から滑落しなくなる。また、本発明では、第１のスパイクの断面が、第１のスパイクの第２の端部に向かって縮小しており、その結果として、より容易に第１のスパイクを梱包材料内に突入させることができる。第１のスパイクは、錐台状又は錐体状とされる場合がある。
【００１５】
第１のスパイク及び第２のスパイクが設けられている場合に限り、第１のスパイク及び第２のスパイクが、閉塞クリップによって形成された平面内に配置されており、第１のスパイク及び第２のスパイクが閉塞クリップのアーム同士の間に対称に配置されている。この場合、第１のスパイク及び第２のスパイクの長さは同一とされる。
【００１６】
本発明における閉塞クリップの一の好ましい実施例では、第２のスパイク及び第３のスパイクが、第１のアーム及び第２のアームによって定義されている中心面から所定距離で離隔して、且つ、中心面に対して平行に配置されている。この構成では、第１のスパイク、第２のスパイク、及び第３のスパイクが互いからオフセットされているので、第１のスパイク、第２のスパイク、及び第３のスパイクが梱包材料に突入又は貫通された場合に許容することができない損傷を防止し、これにより閉塞状態の信頼性をさらに高めることができる。第２のスパイク及び第３のスパイクが、第１のアーム及び第２のアームによって定義されている中心面の異なる側に配置されている場合がある。しかしながら、第２のスパイク及び／又は第３のスパイクが、第１のアーム及び第２のアームによって定義されている中心面（Ｅ）の同一の側に配置されている場合もある。しかしながら、このような場合には、第１のスパイク、第２のスパイク、及び第３のスパイクが同一平面内に配置されていることを避けることが肝心である。互いに対して過剰に近接して配置された第１のスパイク、第２のスパイク、及び第３のスパイクによって、梱包材料が損傷することを防止するためである。
【００１７】
本発明のさらなる特徴では、第２のスパイク及び／又は第３のスパイクの断面が、第２のスパイク及び／又は第３のスパイクの第２の端部に向かって縮小しており、その結果として、さらに容易に第２のスパイク及び第３のスパイクを梱包材料を突入させることができる。第２のスパイク及び第３のスパイクが錐台状又は錐体状とされる場合がある。
【００１８】
本発明では、さらに容易に第１のスパイク、第２のスパイク、及び第３のスパイクを梱包材料に突入させるために、第１のスパイク並びに／又は第２のスパイク及び第３のスパイクが、第１のスパイク並びに／又は第２のスパイク及び第３のスパイクの第２の端部において先鋭な状態で終端している。本発明では、第２のスパイク及び第３のスパイクが、梱包材料に穿孔することを意図せず、より良好に梱包材料と係合又は係止することができる場合には、第２のスパイク及び第３のスパイクの端部における先鋭な箇所は必ずしも必要ではない。
【００１９】
本発明における閉塞クリップの他の好ましい実施例では、カムがベース部分の外面に配置されている。当該カムは、本発明における閉塞クリップが閉じている場合に当該閉塞クリップを位置合わせするために利用される場合がある。この場合には、パンチは、カムに対応している凹所を備えている必要があり、閉塞クリップがパンチによってダイに向かって移動される際に、カムが凹所と係合する。閉塞作業中に閉塞クリップを正しく位置合わせすることによって、閉塞の質をさらに高めることができる。
【００２０】
本発明の他の利点及び好ましい実施例は、添付図面を参照しつつ説明されるだろう。通常の向きに向いている添付図面に関連して利用される“左”、“右”、“上”、及び／又は“底”との表現は、図番及び参照符号の向きに従っている。
【図面の簡単な説明】
【００２１】
【図１】本発明における閉塞クリップの側面図である。
【図２】図１に表わす閉塞クリップを左側から見た平面図である。
【発明を実施するための形態】
【００２２】
図１は、本発明における閉塞クリップの好ましい実施例の側面図である。図１に表わすように、閉塞クリップ１０は少なくとも略Ｕ字状の形態とされる。閉塞クリップ１０は、ベース部分４０に接続されている２つのアーム２０，３０を有している。
【００２３】
アーム２０，３０は、弧状部分４２，４４を介してベース部分４０に接続されている第１の端部２２，３２を有している。また、アーム２０，３０は、自由な第２の端部２４，３４を有している。アーム２０，３０は、互いに対いて平行に方向付けられており、所定の平面すなわち中心面Ｅを規定している（図２参照）。ベース部分４０は、中心面Ｅ内においてアーム２０，３０に対して略直角に方向付けられている。アーム２０，３０は、閉塞クリップ１０の内側に向かって面している内面２６，３６と、閉塞クリップ１０の外側に向かって面している外面２８，３８とを有している。ベース部分４０は、閉塞クリップ１０の内側に向かって面している内面４６と、閉塞クリップ１０の外側に向かって面している外面４８とを有している。弧状部分４２，４４は、内径Ｒｉと外径Ｒａとを有している。
【００２４】
また、図１に表わすように、閉塞クリップ１０は、ベース部分４０の内面４６に配置されている第１のスパイク５０を有している。第１のスパイク５０は、ベース部分４０の内面４６に接続されている第１の端部５２と、ベース部分４０の外側に向かって面している第２の端部５４とを有している。第１のスパイク５０は、アーム２０，３０によって規定されている中心面Ｅ内においてアーム２０，３０に対して略平行に延在している。同様に、図１に表わすように、第１のスパイク５０の断面は、少なくとも第２の端部５４の領域においてテーパ状になっている。第１のスパイク５０の第２の端部５４は先鋭な状態で終端している。
【００２５】
図１に表わすように、閉塞クリップ１０は、第２のスパイク６０及び第３のスパイク７０を有している。第２のスパイク６０及び第３のスパイク７０は、第１の端部６２，７２及び第２の端部６４，７４を有している。第２のスパイク６０は、第１の端部６２が弧状部分４２に形成された状態で配置されており、第１のスパイク５０と第２のアーム３０との間において、第１のスパイク５０及び第２のアーム３０に対して平行に且つ中心面Ｅに対して平行に延在している。第３のスパイク７０は、第１の端部７２が弧状部分４４に形成された状態で配置されており、第１のスパイク５０と第１のアーム２０との間において、第１のスパイク５０及び第１のアーム２０に対して平行に且つ中心面Ｅに対して平行に延在している。図１に表わすように、第２のスパイク６０及び第３のスパイク７０は、少なくとも略同一の長さであり、第１のスパイク５０が第２のスパイク６０及び第３のスパイク７０より長い。第２のスパイク６０及び第３のスパイク７０は、少なくとも第２の端部６４，７４の領域においてテーパ状になっており、その断面は小さくなっている。また、第１のスパイク５０と同様に、第２のスパイク６０及び第３のスパイク７０の第２の端部６４，７４は先鋭な状態で終端している。第１のスパイク５０の断面、第２のスパイク６０の断面、及び第３のスパイク７０の断面は、その一部分において、少なくとも第１の端部５２，６２，７２の領域において少なくとも略一定である。
【００２６】
また、図１に表わすように、カム８０が閉塞クリップ１０のベース部分４０の外面４８に配置されている。カム８０は、第１のスパイク５０の反対側に位置しているベース部分４０の側面に少なくとも概略的に配置されている。カム８０は略半円状の形態とされる。また、閉塞クリップ１０は、カム８０を越えて且つベース部分４０の略矩形状部分を越えて延在している、突出部８２を有している。閉塞クリップ１０から側方に突出している突出部８２は、突出部８２の反対側に位置している側面において閉塞クリップ１０を他の閉塞クリップに結合するために利用され、これにより、これら閉塞クリップの中心面Ｅが互いに対して平行に配置されるように閉塞クリップ１０が位置合わせされている一連の閉塞クリップを形成することができる。このようにして形成された一連の閉塞クリップは、例えば、一連のクリップとして格納可能とされるか、又は一巻のクリップとして巻き付け可能とされる。
【００２７】
図２は、図１に表わす本発明における閉塞クリップ１０の、左側から見た側面図である。図２に表わすように、第１のスパイク５０、第２のスパイク６０、及び第３のスパイク７０はベース部分４０の内面４６に配置されている。また、図２の表わすように、第２のスパイク６０及び第３のスパイク７０は略円状断面を有しており、第１のスパイク５０は楕円状断面を有している。第１のスパイク５０は、その楕円状断面の長軸が中心面Ｅ内に位置するように、且つ、楕円状断面の短軸が中心面Ｅに対して垂直に方向付けられるように配置されている。また、図２に表わすように、突出部８２は、図２に右側に向かって、閉塞クリップ１０を越えて突出している。
【００２８】
同様に図２に表わすように、第１のアーム２０及び第２のアーム３０は少なくとも略矩形状断面を有しており、外側に面している第１のアーム２０及び第２のアーム３０の角部は丸められている。第１のアーム２０及び第３のアーム３０の内面２６，３６及び外面２８，３８は、少なくとも互いに対して略平行に方向付けられている。
【００２９】
上述のように、閉塞クリップ１０の第１のアーム２０及び第２のアーム３０は互いに対して少なくとも略平行に方向付けられている。しかしながら、第１のアーム２０及び第２のアーム３０が互いから末広がりに方向づけられており、第２の端部２４，３４の間の距離が第１の端部２２，３２の間の距離より長い場合もある。
【００３０】
また、言うまでもなく、第１のアーム２０及び第２のアーム３０並びにベース部分４０が、例えば円状断面や三角状断面のような、図２に表わす断面と異なる断面を有している場合がある。
【００３１】
図２に表わす第２のスパイク６０及び第３のスパイク７０の円状断面と、第１のスパイク５０の楕円状断面とは必須の構成ではない。言うまでもなく、第１のスパイク５０と第２のスパイク６０と第３のスパイク７０とは、例えば三角状断面や矩形状断面のような図２の表わす断面とは異なる断面を有している場合がある。同様に、第１のスパイク５０の断面は略円状とされ、対照的に、第２のスパイク６０及び第３のスパイク７０の断面が楕円状とされる場合がある。
【符号の説明】
【００３２】
１０  閉塞クリップ
２０  （第１の）アーム
２２  第１の端部
２４  第２の端部
３０  （第２の）アーム
３２  第１の端部
３４  第２の端部
４０  ベース部分
４２  弧状部分
４４  弧状部分
４６  （ベース部分の）内面
４８  （ベース部分の）外面
５０  第１のスパイク
５２  （第１のスパイクの）第１の端部
５４  （第１のスパイクの）第２の端部
６０  第２のスパイク
６２  第１の端部
６４  第２の端部
７０  第３のスパイク
７２  第１の端部
７４  第２の端部
８０  カム
８２  突出部
Ｅ    中心面
【図１】
2013079108.tif 000003
【図２】
2013079108.tif 000004
【外国語明細書】
2013079108000001.pdf